Podtech/llm-jp-corpus-v4-ja_patent huggingface dataset:
【手続補正書】
【提出日】平成29年7月21日(2017.7.21)
【手続補正１】
【補正対象書類名】特許請求の範囲
【補正対象項目名】全文
【補正方法】変更
【補正の内容】
【特許請求の範囲】
【請求項１】
以下の式で表されるフルオロアルキルシリコーンであって、
【化１】
2016533408.tif 000001
［式中、
各Ｒ１は、独立して、アルキル又はアリールであり、
Ｒｆは、場合により１つ以上の鎖内−Ｏ−、−Ｓ−、又は−ＮＲｆ１−ヘテロ原子（式中、Ｒｆ１は、ペルフルオロアルキル、好ましくは、Ｃ１〜Ｃ６ペルフルオロアルキルである。）によって置換されているペルフルオロアルキル基であり、
Ｒ３は、−Ｈ、−ＯＲ４（式中、Ｒ４は、Ｃ１〜Ｃ４アルキルである。）であり、
ｎは、０〜２０００であり、
ｍは、０であってよく、
ｐは、少なくとも１であり、
ｎ＋ｍ＋ｐは、少なくとも２であり、
ｑは、少なくとも３であり、
Ｒ５は、Ｈ、アルキル、アリール、−（ＣＨ２）ｎ−Ｏ−ＣＦ２ＣＨＦ−Ｏ−Ｒｆ、又はＲ３である。］
式−（ＣＨ２）ｑ−Ｏ−ＣＦ２ＣＨＦ−Ｏ−Ｒｆで表される少なくとも２つのフッ素化基を有する、フルオロアルキルシリコーン。
【請求項２】
Ｒｆが、式ＣｒＦ２ｒ＋１−（Ｏ−ＣｓＦ２ｓ）ｔ−（式中、ｒは、少なくとも１であり、ｓは、少なくとも２であり、ｔは、１〜１０である。）で表される、請求項１に記載のフルオロアルキルシリコーン。
【請求項３】
Ｒｆが、式ＣｒＦ２ｒ＋１Ｎ（ＣｒＦ２ｒ＋１）−ＣｓＦ２ｓ−（式中、ｒは、少なくとも１であり、ｓは、少なくとも２である。）で表される、請求項１に記載のフルオロアルキルシリコーン。
【請求項４】
ｍのｐに対する比が、５０：５０〜２０：８０である、請求項１〜３のいずれか一項に記載のフルオロアルキルシリコーン。
【請求項５】
ｍが、少なくとも２である、請求項１〜４のいずれか一項に記載のフルオロアルキルシリコーン。
【請求項６】
Ｒ５が、−（ＣＨ２）ｑ−Ｏ−ＣＦ２ＣＨＦ−Ｏ−Ｒｆ（式中、ｑは、少なくとも３であり、Ｒｆは、場合により１つ以上の鎖内−Ｏ−、−Ｓ−、又は−ＮＲｆ１−ヘテロ原子によって置換されているペルフルオロアルキル基である。）である、請求項１〜５のいずれか一項に記載のフルオロアルキルシリコーン。
【請求項７】
ｐが少なくとも１であり、Ｒ３がＨである、請求項１〜６のいずれか一項に記載のフルオロアルキルシリコーン。
【請求項８】
ｐが、少なくとも１であり、Ｒ３が、−Ｏ−Ｒ４（式中、Ｒ４は、Ｃ１〜Ｃ４アルキルである。）である、請求項１〜６のいずれか一項に記載のフルオロアルキルシリコーン。
【請求項９】
ｐが、１０〜２０００である、請求項１〜８のいずれか一項に記載のフルオロアルキルシリコーン。
【請求項１０】
裏材と、前記裏材の少なくとも１つの主表面上における請求項１〜９のいずれか一項に記載のフルオロアルキルシリコーンの硬化したコーティングの層と、を含む、剥離ライナ。
【請求項１１】
（Ｉ）裏材、及び前記裏材の少なくとも１つの表面上の請求項１〜９のいずれか一項に記載のフルオロアルキルシリコーンを含む硬化された剥離コーティングを含む剥離ライナと、（ＩＩ）前記剥離ライナの表面と接触している感圧接着剤と、を含む、接着物品。
【手続補正書】
【提出日】平成29年5月15日(2017.5.15)
【手続補正１】
【補正対象書類名】特許請求の範囲
【補正対象項目名】全文
【補正方法】変更
【補正の内容】
【特許請求の範囲】
【請求項１】
皮膚部位の残留アルコールを検出するための蒸気センサーであって、
ハウジングであって、該ハウジングの内部に延びる入口開口部を含むハウジングと、
前記ハウジング内に配置され、前記入口開口部と流体連通したセンサー素子であって、第１の導電性部材、第２の導電性部材、及び前記第１の導電性部材と前記第２の導電性部材との間に挟まれた吸収性誘電体材料を含むセンサー素子と、
前記ハウジングに隣接して配置される少なくとも１つの隔離部材であって、前記入口開口部と前記皮膚部位との間に隙間を維持するように配置された、少なくとも１つの隔離部材と、
前記センサー素子と電気的に導通し、前記センサー素子のパラメータを検出することが可能な作動回路であって、前記パラメータがアルコール濃度と相関したものである、作動回路と、
前記作動回路と通信可能に接続された少なくとも１つの出力部材であって、前記作動回路からの通信を受信すると、前記皮膚部位に隣接した周囲雰囲気中のアルコール蒸気の濃度に関して操作者に示される検知出力を生成するようになっている、少なくとも１つの出力部材と、を含む、蒸気センサー。
【請求項２】
残留アルコールを検出する方法であって、
皮膚部位の残留アルコールを検出するための蒸気センサーを用意する工程であって、前記蒸気センサーが、
ハウジングであって、該ハウジングの内部に延びる入口開口部を含むハウジングと、
前記ハウジング内に配置され、前記入口開口部と流体連通したセンサー素子と、
前記ハウジングに隣接して配置される少なくとも１つの隔離部材であって、前記入口開口部と前記皮膚部位との間に隙間を維持するように配置された、少なくとも１つの隔離部材と、
前記センサー素子と電気的に導通し、前記センサー素子のパラメータを検出することが可能な作動回路であって、前記パラメータがアルコール濃度と相関したものである、作動回路と、
前記作動回路と通信可能に接続された少なくとも１つの出力部材であって、前記作動回路からの通信を受信すると、前記皮膚部位に隣接した周囲雰囲気中のアルコール蒸気の濃度に関して操作者に示される検知出力を生成するようになっている、少なくとも１つの出力部材と、を含むものである、工程と、
前記入口開口部が前記少なくとも１つの隔離部材によって前記皮膚部位から分離されるように前記皮膚部位に隣接して前記蒸気センサーを配置する工程と、
前記センサー素子が周囲雰囲気に曝露されるように前記皮膚部位に隣接した周囲雰囲気を前記入口開口部内に導入する工程と、
前記センサー素子の前記パラメータの値を測定する工程と、
前記パラメータの値に少なくとも部分的に基づいて、前記少なくとも１つの出力部材に前記検知出力を生成させる工程と、を含む、方法。
【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
関連する光学ファイバを固定するクランプ機構であって、前記クランプ機構は、繰り返し組み付けられ及び前記光学ファイバの除去のために分解されるように構成され、前記クランプ機構は、
光学形状検知特性を有し、コーティング又はカバーを有する光学ファイバと、
前記関連する光学ファイバと係合するように構成され、円形断面をもつ直線状のロッドを有する固定素子と、
円形断面、及び前記関連する光学ファイバと係合するように構成される直線状の長手部分、を有する２つの直線状のロッドを有する付加の固定装置と、
前記付加の固定装置の前記２つの直線状のロッド及び前記固定素子の前記直線状のロッドを受け取る開口セクションを有する基部ブロックであって、前記関連する光学ファイバのセクションを直線位置に固定するための開口を形成するように、前記固定素子の前記直線状のロッドが、前記付加の固定装置の前記２つの直線状のロッドと一緒に配置される、基部ブロックと、
を有し、前記固定素子の前記直線状のロッド及び前記付加の固定装置の前記２つの直線状のロッドが、前記光学ファイバの前記コーティング又は前記カバーの柔軟な材料と比べて硬い材料から作られたものである、クランプ機構。
【請求項２】
前記直線状の長手部分における前記固定素子の断面積は、前記関連する光学ファイバの断面積より大きい、請求項１に記載のクランプ機構。
【請求項３】
前記付加の固定装置は、開口セクションを有する前記基部ブロックを有する、請求項１に記載のクランプ機構。
【請求項４】
前記固定素子の前記直線状のロッド及び前記付加の固定装置の前記２つの直線状のロッドはすべて等しい又は実質的に等しい直径を有する円形断面を有する、請求項１に記載のクランプ機構。
【請求項５】
前記固定素子の前記直線状のロッド及び前記付加の固定装置の前記２つ直線状のロッドのうち少なくとも１つ直線状のロッドが、丸められた端部を有する、請求項４に記載のクランプ機構。
【請求項６】
前記固定素子の少なくとも一部及び前記付加の固定装置の一部は、前記クランプ機構の組み付けられた状態において互いに磁気的に引きつけるように、磁気特性を有する、請求項１に記載のクランプ機構。
【請求項７】
前記固定素子の端部及び前記付加の固定装置の端部は、前記関連する光学ファイバが組み込まれる関連するデバイスの端部を保持するように形作られる、請求項１に記載のクランプ機構。
【請求項８】
光学形状検知システムであって、
光学形状検知特性をもつ光学ファイバを有する細長いデバイスであって、前記光学ファイバはコーティング又はカバーを有する、細長いデバイスと、
前記光学ファイバを固定するクランプ機構であって、前記クランプ機構は、繰り返し組み付けられ及び前記光学ファイバの除去のために分解されるように構成され、前記クランプ機構は、
前記光学ファイバと係合するように構成され、円形断面を有する直線状のロッドを有する固定素子と、
円形断面、及び前記関連する光学ファイバと係合するように構成される直線状の長手部分、を有する２つの直線状のロッドを有する付加の固定装置と、
前記付加の固定装置の前記２つの直線状のロッド及び前記固定素子の前記直線状のロッドを受ける開口セクションを有する基部ブロックであって、前記関連する光学ファイバのセクションを直線位置に固定するための開口を形成するために、前記固定素子の前記直線状のロッドが、前記付加の固定装置の前記２つの直線状のロッドと共に配置される、基部ブロックと、
を有するクランプ機構と、
前記光学ファイバとインタロゲートし、それに応じて前記光学ファイバの少なくとも一部の３次元形状の測定を行う光学コンソールシステムと、
を有し、前記固定素子の前記直線状のロッド及び前記付加の固定装置の前記２つの直線状のロッドは、前記光学ファイバの前記コーティング又は前記カバーの柔軟な材料と比べて硬い材料から作られたものである、光学形状検知システム。
【請求項９】
前記クランプ機構は、前記光学ファイバの少なくとも一部の３次元形状の前記測定のための始点を決定する役目を果たす開始領域に前記光学ファイバを固定するように構成される、請求項８に記載の光学形状検知システム。
【請求項１０】
光学形状検知特性をもつ関連する光学ファイバをクランプする方法であって、
前記関連する光学ファイバと係合する固定素子であって、その断面の少なくとも一部が円形又は楕円形状を有する固定素子を提供するステップと、
前記関連する光学ファイバと係合する直線状の長手部分を有する付加の固定装置を提供するステップと、
前記付加の固定装置の前記直線状の長手部分に沿って前記関連する光学ファイバを配置するステップと、
前記関連する光学ファイバのセクションを直線位置に固定する際に互いに協働するように、前記固定素子及び前記付加の固定装置を組み付けるステップと、
を含み、前記固定素子の前記直線状のロッド及び前記付加の固定装置の前記２つの直線状のロッドが、前記光学ファイバの前記コーティング又は前記カバーの柔軟な材料と比べて硬い材料から作られたものである、方法。
【手続補正書】
【提出日】平成29年7月14日(2017.7.14)
【手続補正１】
【補正対象書類名】特許請求の範囲
【補正対象項目名】全文
【補正方法】変更
【補正の内容】
【特許請求の範囲】
【請求項１】
有機化合物を合成するための試薬を含む有機溶剤をスポッティングするための親媒性エリア；ならびに
有機溶剤に反発する疎媒性エリア
を含む、パラレル有機合成のための多孔性支持体。
【請求項２】
紙に基づくアレイである、請求項１に記載の多孔性支持体。
【請求項３】
前記疎媒性エリアは少なくとも約１ｍｍの厚さである、請求項１または２に記載の多孔性支持体。
【請求項４】
多孔性支持体を提供すること；
親媒性エリアを取り囲む支持体の一部に疎媒性材料を適用して前記親媒性エリアを取り囲む疎媒性エリアを確立すること；
１つ以上の試薬を含む１つ以上の溶剤を前記親媒性エリア内に適用し、よって前記１つ以上の溶剤を前記親媒性エリア内に閉じ込めること；ならびに
前記１つ以上の溶剤から１つ以上の化合物を合成すること
を含む、平面に基づくアレイ上で１つ以上の化合物を合成する方法。
【請求項５】
前記１つ以上の溶剤を適用した後に前記多孔性支持体を修飾して前記親媒性エリア内に１つ以上の化合物を含む支持体を提供する工程をさらに含む、請求項４に記載の方法。
【請求項６】
前記多孔性支持体は紙である、請求項４または５に記載の方法。
【請求項７】
前記疎媒性材料はテフロン（登録商標）などの全フッ素置換ポリマである、請求項４〜６のいずれか一項に記載の方法。
【請求項８】
疎媒性部分は少なくとも約１ｍｍの厚さである、請求項４〜７のいずれか一項に記載の方法。
【請求項９】
前記１つ以上の試薬は互いに異なる、請求項４〜８のいずれか一項に記載の方法。
【請求項１０】
前記１つ以上の溶剤を親媒性エリア内に適用する工程において、過剰の溶剤が適用されそれにより前記溶剤が前記支持体を通って芯まで移動されて溶剤の流れを生成する、請求項４〜９のいずれか一項に記載の方法。
【請求項１１】
前記溶剤の流れは約０．１〜１０μＬ／分である、請求項１０に記載の方法。
【請求項１２】
親媒性エリアを取り囲む支持体の一部に疎媒性材料を適用して前記親媒性エリアを取り囲む疎媒性エリアを確立すること；
１つ以上の試薬を親媒性エリア内に適用し、それにより前記試薬を前記親媒性エリア内部に閉じ込めること；ならびに
１つ以上の生化学アッセイを実施すること
を含む、請求項１〜３のいずれか一項に記載の多孔性支持体上で１つ以上の生化学アッセイを実施する方法。
【請求項１３】
多孔性支持体を提供する工程；
親媒性エリアを取り囲む前記支持体の一部に疎媒性材料を適用して前記親媒性エリアを取り囲む第１の疎媒性エリアを確立する工程；
前記親媒性エリア内部の前記支持体の第２の部分に第２の疎媒性材料を適用して前記第１の疎媒性と第２の疎媒性エリアとの間に外側親媒性エリアを形成する工程；
第１の溶液を前記親媒性エリア内部に適用する工程；
第２の溶液を前記親媒性エリア内部に適用する工程
を含む、請求項１〜３のいずれか一項に記載の支持体を作製する方法。
【請求項１４】
前記第１の溶液は保護水溶液であり前記第２の溶液は修飾剤溶液である、請求項１３に記載の方法。
【請求項１５】
前記保護水溶液はスクロースである、請求項１４に記載の方法。
【請求項１６】
前記修飾剤溶液はテフロン（登録商標）ＡＦなどの全フッ素置換ポリマである、請求項１４または１５に記載の方法。
【請求項１７】
前記疎媒性材料を適用する工程はワックスプリンティングにより実施される、請求項１３〜１６のいずれか一項に記載の方法。
【請求項１８】
前記第２の疎媒性エリアは約０．５ｍｍの厚さを有する、請求項１３〜１７のいずれか一項に記載の方法。
【請求項１９】
請求項１〜３のいずれか一項に記載の多孔性支持体を使用して生理活性合成分子を同定する方法。
【請求項２０】
前記生理活性分子はペプチドまたは化学的に修飾されたペプチドまたは合成され得る他の分子である、請求項１９に記載の方法。
【請求項２１】
前記生理活性分子は受容体生体分子に結合し、前記受容体はタンパク質、炭水化物、核酸または他の生物学的構造物である、請求項１９に記載の方法。
【請求項２２】
前記生理活性分子は細胞の表面上の受容体に結合し前記細胞の生化学的または生理学的特性を変化させる、請求項１９に記載の方法。
【請求項２３】
前記細胞は、真核生物もしくは原核生物細胞、または細胞の凝集物である、請求項２２に記載の方法。
【請求項２４】
前記特性は接着、伸展、遊走、細胞分裂、分化、遺伝子発現の変化、または細胞死を含む、請求項２２に記載の方法。
【手続補正書】
【提出日】平成29年5月25日(2017.5.25)
【手続補正１】
【補正対象書類名】特許請求の範囲
【補正対象項目名】全文
【補正方法】変更
【補正の内容】
【特許請求の範囲】
【請求項１】
対象物体の測定点の偏光状態を分析及び／または生成するためのデバイスであって、
−  入射光波から、所定の方向に直線偏光された光ビームを選択する、偏光子と、
−  前記光ビームによって通過される、第１の複屈折素子と、
−  前記第１の素子と同一であり、前記光ビームによって通過される、第２の複屈折素子であって、前記光ビームは次に、前記物体に向かって直接的または間接的に方向付けられて、反射ビームの形態で反射される、第２の複屈折素子と、
を備え、
１つ以上の光学素子から成る光学アセンブリが、前記第１の素子と前記第２の素子との間にある光路上に位置し、前記光学アセンブリが、
−  奇数の鏡、または
−  奇数の２分の１波長板、または
−  組み合わされた奇数の鏡もしくは２分の１波長板
から成ることを特徴とする、
前記デバイス。
【請求項２】
前記第１の素子及び／または前記第２の素子は、
−  回転移動可能な複屈折板、または
−  ネマチック液晶素子である、
請求項１に記載の前記デバイス。
【請求項３】
前記デバイスは、光ビームを発する、光源を備え、前記光源は、前記偏光子の上流にビームを発するのに好適である、
請求項１〜２のいずれか一項に記載の前記デバイス。
【請求項４】
前記第１の素子は、前記所定の方向と直交する第１の平面（Ｐ１）に延在する第１の面を備え、第２の平面（Ｐ２）に延在する鏡は、前記第１の平面（Ｐ１）に対して２０°〜８０°の角度αで交差し、
前記第２の素子は、前記所定の方向と直交する第３の平面（Ｐ３）に延在する第３の面を備え、前記第２及び第３の平面は、値がαに等しい角度α’の角度で交差する、
請求項１〜３のいずれか一項に記載の前記デバイス。
【請求項５】
前記光学アセンブリは、偶数の複数の複屈折素子を備える、
請求項１〜４のいずれか一項に記載の前記デバイス。
【請求項６】
前記デバイスは、前記反射ビームを電気信号に変換する、感光性センサをさらに備える、
請求項１〜５のいずれか一項に記載の前記デバイス。
【請求項７】
対象物体の測定点の偏光状態を生成するための方法であって、
−  入射光波から、所定の方向に直線偏光された入射ビームを選択するステップ、
−  前記入射ビームを、第１の複屈折素子、次に第２の複屈折素子に連続して通過させるステップ、
−  前記ビームを、前記物体に向かって前記第２の複屈折素子の上流に直接的または間接的に方向付けるステップであって、前記ビームは次に、反射ビームを発する、方向付けるステップ、
を含み、
前記方法が、１つ以上の光学素子から成り、前記第１の素子と前記第２の素子との間にある前記ビームの光路上に位置する光学アセンブリの包含によって、前記第１及び第２の素子の位相ドリフトを補償することに存するステップをさらに含み、
前記光学アセンブリは、
−  奇数の鏡、または
−  奇数の２分の１波長板、または
−  組み合わされた奇数の鏡もしくは２分の１波長板
から成ることを特徴とする、
方法。
【請求項８】
対象物体の測定点の偏光状態を分析するための方法であって、
−  前記物体から反射ビームを発し、それを前記第２の複屈折素子の下流に直接的または間接的に方向付けるステップ、
−  前記反射ビームを、前記第２の複屈折素子、次に第１の複屈折素子に連続して通過させるステップ、
−  前記反射ビームを電気信号に変換するステップ、
を含み、
前記第１の素子と前記第２の素子との間にある前記ビームの光路上の１つ以上の光学素子から成る光学アセンブリの包含によって、前記第１及び第２の素子の位相ドリフトを補償することに存するステップをさらに含み、
前記光学アセンブリは、
−  奇数の鏡、または
−  奇数の２分の１波長板、または
−  組み合わされた奇数の鏡もしくは２分の１波長板
から成ることを特徴とする、
方法。
【請求項９】
請求項１〜６のいずれか一項に記載の分析及び／または生成デバイスを備える、医療装置。
【手続補正書】
【提出日】平成29年7月24日(2017.7.24)
【手続補正１】
【補正対象書類名】特許請求の範囲
【補正対象項目名】全文
【補正方法】変更
【補正の内容】
【特許請求の範囲】
【請求項１】
ａ）ベンゾオキサジンと、
ｂ）ペンダントトシレート基を有する（メタ）アクリレートコポリマーと、を含む、重合性組成物。
【請求項２】
前記コポリマーのモノマー単位の１〜１００％は、（メタ）アクリロイルオキシアルキルトシレート単位であり、
前記（メタ）アクリロイルオキシアルキルトシレート単位は、以下の式
【化１】
2016533417.tif 000001
（式中、
Ｒ１は、Ｈ又はＣＨ３であり、
Ｒ２は、１個又は２個以上のエーテル酸素原子を含んでよいＣ２〜Ｃ１０アルキレンであり、
ＯＴｓは、トシレート（トルエンスルホネート）基である）で表されるモノマーに由来する、請求項１に記載の重合性組成物。
【請求項３】
Ｒ２は、アルキレンオキシ基又はポリ（アルキレンオキシ）基である、請求項２に記載の重合性組成物。
【請求項４】
ペンダントトシレート基を有する前記（メタ）アクリレートコポリマーは、トシレート基のモル当量が、前記ベンゾオキサジン１００重量部に対して、０．０５〜１０重量部となるような量で使用される、請求項１に記載の重合性組成物。
【請求項５】
前記コポリマーは、式−［Ｍｔｏｓｙｌ］ａ−［Ｍｅｓｔｅｒ］ｂ−［ＭＯＨ］ｃ（式中、Ｍｔｏｓｙｌは、下付き文字「ａ」個の繰り返し単位を有する重合されたトシレート官能性モノマー単位を表し、Ｍｅｓｔｅｒは、下付き文字「ｂ」個の繰り返し単位を有する重合されたアクリル酸エステルモノマー単位を表し、ＭＯＨは、下付き文字「ｃ」個の繰り返し単位を有する重合されたヒドロキシアルキルアクリレートモノマー単位を表す）で表され、
下付き文字ａは、前記繰り返し単位の１〜９８％であり、ｂは、前記繰り返し単位の０〜９８％であり、ｃは、前記モノマー単位の少なくとも１％である、請求項１に記載の重合性組成物。
【請求項６】
強靭化剤を更に含み、前記強靭化剤が、前記ベンゾオキサジンに対して、約３重量％〜３５重量％で存在する、請求項１〜５のいずれか一項に記載の重合性組成物。
【請求項７】
共触媒及び／又は硬化剤を更に含み、前記硬化剤は、チオール化合物、アミン化合物、及びこれらの組み合わせからなる群から選択される、請求項１〜６のいずれか一項に記載の重合性組成物。
【請求項８】
ポリ（ベンゾオキサジン）ポリマー及び架橋（メタ）アクリレートポリマーを含む、相互貫入ポリマーネットワーク。
【請求項９】
１００重量部の前記ポリ（ベンゾオキサジン）に対して、０．０５〜１０重量部の前記架橋アクリレートコポリマーを含む、請求項８に記載の相互貫入ポリマーネットワーク。
【請求項１０】
請求項１〜７のいずれか一項に記載の組成物を、重合を開始させるのに十分な温度まで加熱する工程を含む、ポリ（ベンゾオキサジン）の調製方法。
【手続補正書】
【提出日】平成29年10月12日(2017.10.12)
【手続補正１】
【補正対象書類名】特許請求の範囲
【補正対象項目名】全文
【補正方法】変更
【補正の内容】
【特許請求の範囲】
【請求項１】
（１）酸素の含有量が０．６５％未満の雰囲気を有する反応容器に、炭化水素を導入する工程と、
（２）前記反応容器に、光開始剤を導入する工程と、
（３）前記反応容器において炭化水素と光開始剤を、所定時間撹拌する工程と、
（４）光源から発せられる波長が３９０〜７８０ｎｍの可視光を、所定時間前記反応容器を通過させて、重合された炭化水素を得る工程と、
を有する炭化水素の重合方法であって、
前記光開始剤は、過酸化水素、過酸化ベンゾイル、ｔ−ブチルヒドロパーオキサイド、過安息香酸、および、過酢酸からなる群より選択される少なくとも１種の過酸化物であり、
前記光源は、発光ダイオード（ＬＥＤｓ）、レーザー、有機エレクトロルミネセンス材料、および、無機エレクトロルミネセンスからなる群より選択される少なくとも１種の固体発光装置であり、
前記光を発する光源は、前記反応容器の外壁から０．２〜１２ｃｍの距離を置いた反応容器の外側に設置され、
前記可視光を通過させる工程は、前記光線を、前記反応が行われている反応容器における反応領域へ導くことを含む、炭化水素の重合方法。
【請求項２】
前記炭化水素は、エポキシド、ヒドロキシ酸、ラクタム、および、ビニルモノマーからなる群より選択される少なくとも１種のモノマーである請求項１に記載の方法。
【請求項３】
前記炭化水素は、スラリー状または溶液状で前記反応容器に導入される請求項１に記載の方法。
【請求項４】
前記撹拌工程は、回転型撹拌子を用いて２００〜８５０ｒｐｍの速度で５〜６０分間行われる請求項１又は２に記載の方法。
【請求項５】
前記光開始剤の使用量が、２０〜８００ｐｐｍである請求項１又は２に記載の方法。
【請求項６】
前記可視光は、前記反応容器を２〜１２時間通過させる請求項１又は２に記載の方法。
【請求項７】
前記可視光を前記反応容器に通過させる前に、さらに、前記撹拌中の炭化水素を４０〜９０℃の温度で加熱する工程を有する請求項１に記載の方法。
【請求項８】
ガラス製の壁を有する透明な反応容器、前記反応容器内に流体をパージするパージ手段、中央に取り付けられる攪拌子、少なくとも１つの光源、および、前記反応容器の反応領域へ光を導くガイド手段を備える炭化水素の重合装置であって、
前記光源は、波長が３９０〜７８０ｎｍの光を発するものであり、前記反応容器の外側、前記反応容器の内側、および、前記反応容器の壁への埋め込みからなる群より選択される少なくとも１つの箇所に設置される、炭化水素の重合装置。
【請求項９】
前記光源は、発光ダイオード（ＬＥＤｓ）、レーザー、有機エレクトロルミネセンス材料、および、無機エレクトロルミネセンスからなる群より選択される少なくとも１種の固体発光装置である請求項８に記載の装置。
【請求項１０】
前記光源は、前記反応容器の外壁から０．２〜１２ｃｍ離れる箇所に設置される請求項８に記載の装置。
【請求項１１】
前記ビニルモノマーは、イソプレン、および、アクリル酸アルコールからなる群より選択される少なくとも１種である請求項２に記載の方法。
【手続補正書】
【提出日】平成29年4月4日(2017.4.4)
【手続補正１】
【補正対象書類名】特許請求の範囲
【補正対象項目名】全文
【補正方法】変更
【補正の内容】
【特許請求の範囲】
【請求項１】
硬質又は軟質表面から染み又は付着物を除去するための薬剤であって、
前記薬剤は、界面活性剤、付着促進剤、少なくとも１つの活性物質を含み、
界面活性剤画分は１０重量％〜６０重量％であり、
前記付着促進剤は、アルキレンスチレンコポリマーの群から選択され、
前記アルキレンスチレンコポリマーは、ジブロック又はトリブロックコポリマーからなる群から、特にスチレン−ブタジエン−スチレンコポリマー（ＳＢＳ）、スチレン−イソプレン−スチレンコポリマー（ＳＩＳ）、スチレン−エチレン／ブチレン−スチレンコポリマー（Ｓ−ＥＢ−Ｓ）、スチレン‐エチレン／プロピレンコポリマー（Ｓ−ＥＰ）、スチレン−エチレン／ブチレンコポリマー（Ｓ−ＥＢ）、スチレン−ブタジエンコポリマー（ＳＢ）、スチレン−イソプレンコポリマー（ＳＩ）からなる群から選択され、ここで前記アルキレンスチレンコポリマーはまた、水素添加されていてよいか、又は部分的に水素添加されていてよく、
前記活性物質は、酸、アルカリ、漂白剤及び／又はゲル中で結合しない疎水性有機溶媒であり、
前記薬剤は、少なくとも１０重量％の少なくとも１つの酸、若しくは少なくとも１０重量％の少なくとも１つのアルカリ、及び／若しくは少なくとも５重量％の漂白剤を含み、並びに／又は少なくとも１０重量％のゲル中で結合しない疎水性有機溶媒を含む、硬質又は軟質表面から染み又は付着物を除去するための薬剤。
【請求項２】
酸を含む前記薬剤の１％溶液のｐＨは、ｐＨ２以下であることを特徴とする、請求項１に記載の薬剤。
【請求項３】
アルカリを含む前記薬剤の１％溶液のｐＨは、少なくともｐＨ９であることを特徴とする、請求項１に記載の薬剤。
【請求項４】
前記界面活性剤画分は、２５重量％〜４５重量％であることを特徴とする、請求項１に記載の薬剤。
【請求項５】
前記薬剤はペースト状であり、Ｈａａｋｅ粘度計、プレート／プレートシステム、プレート直径１０ｍｍを用いて、剪断勾配２．６２ｓ-1、２０ｏＣで測定した場合に、少なくとも３０Ｐａ＊ｓの粘度を有することを特徴とする、請求項１に記載の薬剤。
【請求項６】
前記薬剤は最大５重量％の水画分を有することを特徴とする請求項１〜５のいずれか１項に記載の薬剤。
【請求項７】
織物から脇下領域における染みを、又は血液、錆若しくは石灰沈着の上部の汚れの染みを除去するために、少なくとも１０重量％の酸を含む、請求項１に記載の薬剤の使用。
【請求項８】
硬質表面から及び／又は表面のエッチングのために、樹脂、油、すす又はグリースを含有する付着物を除去するために、少なくとも５０重量％のアルカリを含む、請求項１に記載の薬剤の使用。
【請求項９】
前記薬剤は、ココア／チョコレート、靴クリーム、口紅、チューインガム、ウコンの染み、又はその他のグリース若しくは顔料を含有する染みを除去するために、アルカリ及び少なくとも１０重量％の疎水性有機溶媒を含む、請求項１に記載の薬剤の使用。
【請求項１０】
着色染み及び赤ワインの染みを除去するために、少なくとも１０重量％の漂白剤を含む、請求項１に記載の薬剤の使用。
【請求項１１】
コケを除去するための薬剤の使用であって、
前記薬剤は、界面活性剤、付着促進剤、少なくとも１つの活性物質を含み、
前記付着促進剤は、アルキレンスチレンコポリマー、２つ以上のオレフィンのオレフィンホモポリマー又はオレフィンコポリマー、及びポリアルキレン誘導体の群から選択され、
前記ポリマーは、水素添加されていてもよく、
前記活性物質は、少なくとも５％の酸及び／又は少なくとも１％の殺生物剤である、
コケを除去するための薬剤の使用。
【手続補正書】
【提出日】平成29年7月27日(2017.7.27)
【手続補正１】
【補正対象書類名】特許請求の範囲
【補正対象項目名】全文
【補正方法】変更
【補正の内容】
【特許請求の範囲】
【請求項１】
着用者による使用のための個人用呼吸保護装置であって、
周辺部を有するレスピレータ本体と、前記レスピレータ本体の少なくとも一部分を形成するフィルター媒体と、前記周辺部に位置付けられ、かつその長さの少なくとも一部に沿って延在するガスケットと、を備え、
前記ガスケットが、シート様の可撓性エラストマー材料を含み、かつ輪郭成形され、前記輪郭は、前記周辺部から離れる方向に突出する隆起部を含む、装置。
【手続補正書】
【提出日】平成29年6月8日(2017.6.8)
【手続補正１】
【補正対象書類名】特許請求の範囲
【補正対象項目名】全文
【補正方法】変更
【補正の内容】
【特許請求の範囲】
【請求項１】
身体曲線部の空間熱表現を受信するステップ、
前記空間熱表現は、空間データに関連付けられた熱データを含み、
前記身体曲線部の理論的熱シミュレーションを生成するステップ、
前記理論的熱シミュレーションを生成するステップは、前記空間熱表現の前記空間データに基づいて、前記身体曲線部の基準点又は等温表面を決定し、前記身体の表面上の点から前記基準点又は前記等温表面までの距離を測定することを含み、
前記距離と、前記身体曲線部の又は前記身体曲線部の種類の所定の熱力学的論理とに基づいて、熱マップを計算するステップ、
を含む、撮像方法。
【請求項２】
前記空間熱表現と前記理論的熱シミュレーションの結果とを比較するステップをさらに含む、請求項１に記載の方法。
【請求項３】
前記空間熱表現と前記理論的熱シミュレーションの結果との比較に基づいて、前記身体曲線部の異常部分を検出するステップをさらに含む、請求項２に記載の方法。
【請求項４】
前記身体曲線部の内側の異常部分のパラメータを逆方向に解くステップをさらに含む、請求項３に記載の方法。
【請求項５】
前記逆方向に解くステップは、
前記身体曲線部の内側の理論上の腫瘍についての複数の追加の理論的熱シミュレーションを生成し、前記複数の追加の理論的熱シミュレーションの各々において、前記理論上の腫瘍のパラメータを調整するステップと、
前記空間熱表現と前記複数の追加の理論的熱シミュレーションの結果とを比較して、前記複数の追加の理論的熱シミュレーションの中で、前記空間熱表現に最も近いシミュレーションを決定するステップと、
を含む、請求項４に記載の方法。
【請求項６】
前記異常部分のパラメータは、前記身体曲線部の内側の異常部分の位置、異常部分のサイズ、異常部分の形状、及び異常部分の種類からなる群から選択される、請求項４又は請求項５に記載の方法。
【請求項７】
前記空間熱表現の少なくとも一部分は、寒冷負荷試験に基づいている、請求項３に記載の方法。
【請求項８】
前記所定の熱力学的論理の少なくとも一部分は、理論的寒冷負荷試験に基づいている、請求項７に記載の方法。
【請求項９】
前記身体曲線部の種類の前記所定の熱力学的論理は健常者に基づいて計算される、請求項１に記載の方法。
【請求項１０】
前記身体曲線部は１つ以上の胸を含む、請求項１から請求項９のいずれかに記載の方法。
【請求項１１】
撮像装置とハードウェアデータプロセッサとを有する撮像システムであって、
前記ハードウェアデータプロセッサは、
（ａ）身体曲線部の空間熱表現を生成し、
前記空間熱表現は、空間データに関連付けられた熱データを含み、
（ｂ）前記身体曲線部の基準点又は等温表面を決定し、前記空間熱表現の前記空間データに基づいて、前記身体の表面上の点から前記基準点又は前記等温表面までの距離を測定することによって、前記身体曲線部の理論的熱シミュレーションを生成し、
（ｃ）前記距離と、前記身体曲線部の又は前記身体曲線部の種類の所定の熱力学的論理とに基づいて、熱マップを計算する、
撮像システム。
【請求項１２】
前記ハードウェアデータプロセッサは、さらに、前記空間熱表現と前記理論的熱シミュレーションの結果を比較するように構成される、請求項１１に記載の撮像システム。
【請求項１３】
前記ハードウェアデータプロセッサは、さらに、前記空間熱表現と前記理論的熱シミュレーションの結果との比較に基づいて、前記身体曲線部の異常部分を検出するように構成される、請求項１２に記載の撮像システム。
【請求項１４】
前記ハードウェアデータプロセッサは、さらに、前記身体曲線部の内側の異常部分のパラメータを逆方向に解くように構成される、請求項１３に記載の撮像システム。
【請求項１５】
前記逆方向に解くことは、
前記身体曲線部の内側の理論上の腫瘍についての複数の追加の理論的熱シミュレーションを生成し、前記複数の追加の理論的熱シミュレーションの各々において、前記理論上の腫瘍のパラメータを調整し、
前記空間熱表現と前記複数の追加の理論的熱シミュレーションの結果とを比較して、前記複数の追加の理論的熱シミュレーションの中で、前記空間熱表現に最も近いシミュレーションを決定すること、
を含む、請求項１４に記載の撮像システム。
【請求項１６】
前記身体曲線部の種類の前記所定の熱力学的論理は健常者に基づいて計算される、請求項１１に記載の撮像システム。
【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
腸を洗浄するためのシステムであって、
前記腸から灌注流体を排出するための排出管腔と
圧力源と、
前記排出管腔の中又は近傍の環境条件を検出するように位置付けられた少なくとも１のセンサと、
コントローラであって、
前記少なくとも１のセンサからの通知に基づいて前記排出管腔の流動状態を測定し、
流動状態が、初期の妨害物が流れの低下にかかる１０％を超える値に達する前に初期の妨害物を示すことを判定し、
前記判定に基づいて、前記圧力源からの圧力を調節して、前記初期の妨害物の増加を防止するように構成されたコントローラと
を有することを特徴とするシステム。
【請求項２】
請求項１記載のシステムにおいて、前記圧力源は、近位方向及び遠位方向の圧力勾配を前記排出管腔に交互に加えるように構成されていることを特徴とするシステム。
【請求項３】
請求項１又は２のいずれかに記載のシステムにおいて、前記初期の妨害物は、排出速度が、前記灌注流体の前記腸への注入速度と同等又はそれ以上である際に判定されることを特徴とするシステム。
【請求項４】
請求項１〜３のいずれかに記載のシステムにおいて、前記コントローラは、初期の妨害物が排出管腔の断面の５０％未満の閉塞を形成する際に、初期の妨害物の表示を判定するよう構成されていることを特徴とするシステム。
【請求項５】
請求項１〜４のいずれかに記載のシステムにおいて、前記コントローラは、初期の妨害物が排出管腔の断面の１０％未満の閉塞を形成する際に、前記初期の妨害物の表示を判定するよう構成されていることを特徴とするシステム。
【請求項６】
請求項１〜５のいずれかに記載のシステムにおいて、前記初期の妨害物は、排出管腔の閉塞状態の進行により低下した排出速度を有することを特徴とするシステム。
【請求項７】
請求項１〜６のいずれかに記載のシステムにおいて、圧力を調節するよう構成される前記システムは、遠位方向の圧力を増加させ、その後、減少させる少なくとも２周期を調節するように構成されていることを含むことを特徴とするシステム。
【請求項８】
請求項１〜７のいずれかに記載のシステムにおいて、前記コントローラは、前記圧力を調節する間、流動状態を再測定し、流動状態から初期の妨害物の表示を再判定し、初期の妨害物の表示が継続しているという結果に基づいて、前記圧力の調節を制御するように構成されていることを特徴とするシステム。
【請求項９】
請求項１〜８のいずれかに記載のシステムにおいて、流動状態が初期の妨害物を示すことを判定するよう構成されている前記システムは、初期の妨害物のシステム内の位置の判定をするよう構成されていることを含み、前記位置は圧力の調節の基準となることを特徴とするシステム。
【請求項１０】
請求項１〜９のいずれかに記載のシステムにおいて、前記少なくとも１のセンサは、
以下の群、すなわち、
（ａ）前記排出管腔の遠位部の外面、かつ、前記管腔の外側に位置付けられたセンサ、
（ｂ）前記排出管腔の内部、かつ、前記排出管腔の遠位端から５ミリメートル以内に位置付けられたセンサ、
（ｃ）前記排出管腔の内部、かつ、前記排出管腔の遠位端から５〜３０ミリメートル以内に位置付けられたセンサ、
（ｄ）前記排出管腔の内部、かつ、前記排出管腔の遠位端から３〜１６０センチメートル以内に位置付けられたセンサ、
（ｅ）前記排出管腔の内部、かつ、前記排出管腔の遠位端から１６０〜２５０センチメートル以内に位置付けられたセンサ、
（ｆ）前記排出管腔の内部、かつ、前記排出管腔の遠位端から２５０センチメートル以上離れて位置付けられたセンサ、及び、
（ｇ）前記排出管腔の遠位部に流体流を供給する流体供給管の内部に位置付けられたセンサ
から成る群から選択される複数のセンサを含むことを特徴とするシステム。
【請求項１１】
請求項１〜１０のいずれかに記載のシステムにおいて、流動状態を測定するよう構成されている前記システムは、
以下の群、すなわち、
（ａ）１又は複数のセンサからの圧力、
（ｂ）２以上のセンサ間の圧力差、
（ｃ）流れ、
（ｄ）光学的特性、及び、
（ｅ）バルク物質特性
について感知された変化から成る群のうち少なくともいずれかを測定するよう構成されていることを含むことを特徴とするシステム。
【請求項１２】
請求項１〜１１のいずれかに記載のシステムにおいて、当該システムは、複数の排出管腔を有し、前記圧力源によって前記複数の排出管腔に与えられる圧力は個々に制御可能であることを特徴とするシステム。
【請求項１３】
請求項１〜１２のいずれかに記載のシステムにおいて、
前記少なくとも１のセンサは、前記排出管腔の圧力を検出するように位置付けられており、
流動状態を測定するように構成されている前記システムは、前記排出管腔における圧力変化の測定をするよう構成されていることを含むことを特徴とするシステム。
【請求項１４】
請求項１〜１３のいずれかに記載のシステムにおいて、当該システムは、
前記腸の内部、かつ、前記排出管腔の外部の圧力を感知するように位置付けられた腸圧力センサと、
灌注流体を前記腸に供給するための灌注供給チャネルと
を有し、
前記コントローラは、
前記腸圧力センサからの通知に基づいて前記腸の膨張圧力を判定し、
前記判定に基づいて、前記灌注流体の前記腸への供給を変化させるように構成されていることを特徴とするシステム。
【請求項１５】
請求項１〜１４のいずれかに記載のシステムにおいて、前記コントローラは、排出管腔において初期の妨害物が流れの低下にかかる２０％を超える値に達する前に初期の妨害物を示すことを判定するよう構成されていることを特徴とするシステム。
【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
生物に医療処置を適用する医療システムにおいて、前記医療システムが、
前記医療処置を実行する医療装置であって、前記医療装置が、前記医療処置を適用するために基準装置に対する移動を実行する、医療装置と、
部屋の壁及び／又は天井に前記医療装置を取り付ける取り付けシステムであって、前記取り付けシステムが、前記部屋の前記壁及び／又は前記天井に前記医療装置を懸架する懸架システムである、取り付けシステムと、
前記基準装置に前記医療装置を堅く取り付ける固定要素と、
前記取り付けシステムと前記医療装置との間の受動的な適合要素であって、前記適合要素は、前記医療装置が前記取り付けシステムに対して移動される場合に適合性を提供する、適合要素と、
を有し、前記医療装置が、医療ロボット装置及び／又はカテーテル制御装置を含むことを特徴とする、医療システム。
【請求項２】
前記適合要素が、ばね要素を有する、請求項１に記載の医療システム。
【請求項３】
前記適合要素が、少なくとも１０ｃｍの前記取り付けシステムに対する前記医療装置の移動を可能にする、請求項１に記載の医療システム。
【請求項４】
前記取り付けシステムは、前記医療装置が異なる場所及び／又は異なる位置に移動可能であるように前記医療装置を移動可能に取り付ける、請求項１に記載の医療システム。
【請求項５】
前記基準装置が、前記生物を支持する支持手段であり、前記固定要素が、前記支持手段に堅く取り付けられる、請求項１に記載の医療システム。
【請求項６】
前記支持手段が、患者テーブルである、請求項５に記載の医療システム。
【請求項７】
第１のセッションに対して、前記医療装置が、前記医療装置と前記基準装置との間の堅い接続を提供するために前記固定要素により前記基準装置に堅く取り付け可能であり、前記医療装置が前記基準装置から取り外された後に、第２のセッションに対して、前記医療装置が、前記医療装置と前記基準装置との間の堅い接続を提供するために前記固定要素により前記基準装置に再び堅く取り付け可能であり、前記固定要素は、前記医療装置と前記基準装置との間の空間的関係が前記第１及び第２のセッションにおいて同じであるように構成される、請求項１に記載の医療システム。
【請求項８】
前記医療システムが、前記医療処置中に前記生物の画像を生成する撮像装置を有する、請求項１に記載の医療システム。
【手続補正書】
【提出日】平成29年8月1日(2017.8.1)
【手続補正１】
【補正対象書類名】特許請求の範囲
【補正対象項目名】全文
【補正方法】変更
【補正の内容】
【特許請求の範囲】
【請求項１】
ＣＭＵＴトランスデューサプローブを有する超音波診断イメージングシステムであって、
１又は複数のＣＭＵＴセルを有するアレイであって、各ＣＭＵＴセルが、セルメンブレン、メンブレン電極、セル底面、基板、及び基板電極を有する、アレイと、
前記メンブレン電極及び前記基板電極に結合される直流バイアス電圧のソースと、を有し、
各ＣＭＵＴセルは、前記ＣＭＵＴセルの動作の間、前記直流バイアス電圧が、前記セル底面より上で自由に振動するように前記ＣＭＵＴセルのＣＭＵＴメンブレンをセットする通常モードと、前記ＣＭＵＴセルの動作の間、前記直流バイアス電圧が、前記セル底面に崩壊するように前記ＣＭＵＴセルのＣＭＵＴメンブレンをセットする崩壊モードと、のいずれかで動作するように構成される、超音波診断イメージングシステム。
【請求項２】
複数のＣＭＵＴセルが、１つの第１のＣＭＵＴセル及び１つの第２のＣＭＵＴセルを少なくとも有し、前記第１のＣＭＵＴセルが前記第２のＣＭＵＴセルより大きい直径を有する、請求項１に記載の超音波診断イメージングシステム。
【請求項３】
前記通常モードにおいて、前記直流バイアス電圧は、前記ＣＭＵＴセルの動作の間、前記セル底面より上で自由に振動するように前記第１のＣＭＵＴセルのメンブレンをセットし、前記崩壊モードにおいて、前記直流バイアス電圧は、前記ＣＭＵＴセルの動作の間、前記セル底面に崩壊するように前記第２のＣＭＵＴセルのメンブレンをセットする、請求項２に記載の超音波診断イメージングシステム。
【請求項４】
各ＣＭＵＴセルは、超音波信号の送信の間、前記通常モードで動作し、超音波信号の受信の間、前記崩壊モードで動作する、請求項１乃至３のいずれか１項に記載の超音波診断イメージングシステム。
【請求項５】
前記直流バイアス電圧は、個々の異なる臨床アプリケーションについて選択可能である、請求項１に記載の超音波診断イメージングシステム。
【請求項６】
前記崩壊モードでの動作中、前記直流バイアス電圧の増加は、前記ＣＭＵＴセルの周波数応答の中心周波数の増加をもたらし、前記崩壊モードでの動作中、前記直流バイアス電圧の低下は、前記ＣＭＵＴセルの周波数応答の中心周波数の低下をもたらす、請求項５に記載の超音波診断イメージングシステム。
【請求項７】
個々の異なる臨床アプリケーションのために直流バイアス電圧の複数が超音波システム制御を使用してセットされる、請求項６に記載の超音波診断イメージングシステム。
【請求項８】
前記超音波システム制御が、４ＭＨｚ以下の公称中心周波数を有する周波数帯で動作する相対的に低周波数透過、８乃至１２ＭＨｚの公称中心周波数を有する周波数帯で動作する高周波数解像度、及び４乃至８ＭＨｚの公称中心周波数を有する周波数帯で動作する中間周波数を含む複数の臨床アプリケーションからの選択を含む、請求項７に記載の超音波診断イメージングシステム。
【請求項９】
前記崩壊モードにおいて、各ＣＭＵＴセルは、前記セル底面に崩壊するメンブレンの領域を更に有し、前記直流バイアス電圧の増加が、前記セル底面に崩壊するメンブレンの領域の増加をもたらし、又は前記直流バイアス電圧の低下が、該領域の低下をもたらす、請求項１に記載の超音波診断イメージングシステム。
【請求項１０】
各ＣＭＵＴセルが円形形状を有し、前記メンブレン電極がリング電極を更に有する、請求項１に記載の超音波診断イメージングシステム。
【請求項１１】
前記基板電極が、前記セル底面の表面を有する絶縁層でオーバレイされる、請求項１に記載の超音波診断イメージングシステム。
【請求項１２】
各ＣＭＵＴセルが、四角形又は六角形の形状に構成される、請求項１に記載の超音波診断イメージングシステム。
【請求項１３】
前記アレイのＣＭＵＴセルの複数が、単一トランスデューサアレイ素子として一緒に動作されるように構成される、請求項１に記載の超音波診断イメージングシステム。
【請求項１４】
超音波イメージング方法であって、
１又は複数のＣＭＵＴセルを有するアレイを提供するステップであって、少なくとも２つのＣＭＵＴセルが互いに異なる直径を有するものである、ステップと、
前記ＣＭＵＴセルのメンブレン電極と基板電極との間に直流バイアス電圧を結合するステップと、
を含み、前記超音波イメージング方法が更に、
特定の臨床アプリケーション用の周波数帯域を選択するステップと、
基本周波数における超音波信号の送信の間、セル底面より上で自由に振動するようにＣＭＵＴメンブレンをセットする直流バイアス電圧、又は超音波信号の受信の間、前記セル底面に崩壊するように前記ＣＭＵＴメンブレンをセットする直流バイアス電圧を選択するステップと、
基本周波数及び／又は基本周波数の高調波でイメージングするステップと、
を含む超音波イメージング方法。
【請求項１５】
前記特定の臨床アプリケーションが、造影剤イメージング、強調画像エラストグラフィ、光音響法又は高密度焦点式超音波のうちの１つである、請求項１４に記載の超音波イメージング方法。
【手続補正書】
【提出日】平成29年8月8日(2017.8.8)
【手続補正１】
【補正対象書類名】特許請求の範囲
【補正対象項目名】全文
【補正方法】変更
【補正の内容】
【特許請求の範囲】
【請求項１】
歯垢を自動的に且つ独立して検出し除去するためのデンタル・ケア・デバイスであって、
ａ．複数の剛毛アレイを有する、動き制御される歯垢除去ヘッドであって、複数の剛毛アレイは、前記動き制御される歯垢除去ヘッドの上に垂直及び水平に配置されており、各剛毛アレイは、専用モータによって別々に制御される、動き制御される歯垢除去ヘッドと、
ｂ．歯及び歯茎の画像を取り込むように適合された歯垢検出ユニットであって、撮像デバイス、並びに前記歯及び歯茎を照明するための特定の波長の光源を備える、歯垢検出ユニットと、
ｃ．前記歯の上の歯垢汚染エリアを正確に検出するために、前記取り込まれた画像を処理し、それに従って、汚染エリアに到達してそこに焦点を合わせるように前記動き制御される歯垢除去ヘッドを自動的に導き、ブラッシングを必要としないエリアを回避するための命令を生成し、それにより、歯垢のあるエリアを検出することとこれらのエリアに到達するように前記歯垢除去ヘッドを制御することとの間のループを閉じることができるように適合された歯垢検出エンジンとを備える、デンタル・ケア・デバイス。
【請求項２】
前記歯垢検出ユニットが、ハードウェア及び／又はソフトウェア歯垢ファインダ・アルゴリズムを適用することによって動作するようにプログラムされた、請求項１に記載のデンタル・ケア・デバイス。
【請求項３】
前記歯垢ファインダ・アルゴリズムが、画像処理、エッジ検出、及びオブジェクト検出を含む、請求項２に記載のデンタル・ケア・デバイス。
【請求項４】
前記デバイスの使用中にビデオ／オーディオ・ユーザ指示を提供するためのユーザ情報プロセッサをさらに備える、請求項１に記載のデンタル・ケア・デバイス。
【請求項５】
ユーザ指示が、ユーザがブラシを新しい位置に置くよう求められるときのリアルタイム・ブラッシング指示、タイマ、ブラッシング品質、歯垢のパーセンテージ、及び経時的な改善を含む、請求項４に記載のデンタル・ケア・デバイス。
【請求項６】
歯垢の位置のカラー指示を含む口腔全体のリアルタイム全景が、ブラッシングの間にユーザが従うために提示される、請求項５に記載のデンタル・ケア・デバイス。
【請求項７】
前記複数の剛毛アレイが、曲線的な方式で、直線的な方式で、又は両方の組合せで形成された、請求項１に記載のデンタル・ケア・デバイス。
【請求項８】
前記歯垢除去ヘッドが標準よりも長く、前記歯垢除去ヘッドが、前記歯のラインに合致して複数の歯を同時にブラッシングするように前記歯垢除去ヘッドの形状を調整するのを可能にするための少なくとも１つのフレキシブルな接合部と、歯垢検出のための１つ又は複数のセンサ・デバイスとを有する、請求項１に記載のデンタル・ケア・デバイス。
【請求項９】
前記フレキシブルな接合部の動きが、受動的であり、前記接合部のフレキシビリティのみに依存する、請求項８に記載のデンタル・ケア・デバイス。
【請求項１０】
前記フレキシブルな接合部の動きが、１つ又は複数のモータ又はアクチュエータを使用することによって能動的である、請求項８に記載のデンタル・ケア・デバイス。
【請求項１１】
前記歯垢検出エンジンが、加えられる圧力及び動きを制御し、ブラッシングを必要としないエリアを回避することによって、摩耗させるようにブラシが当たらないようにする、請求項１に記載のデンタル・ケア・デバイス。
【請求項１２】
前記歯垢検出ユニットが、前記歯垢検出エンジンによって制御された画像の連続的なストリームを撮影する、請求項１に記載のデンタル・ケア・デバイス。
【請求項１３】
前記歯垢検出ユニットが、前記画像の連続的なストリームを受け取り、受け取った前記画像に対して高度なピクチャ処理アルゴリズムを適用し、ｘ軸に沿った前記ヘッドの動きに関連して各剛毛アレイによって実施される次の動きを制御するための、１組のコマンドを結果として生じさせ、それによって、各専用モータが、アクティブ化、停止、加速、又は減速されるべきであるかについて、各専用モータの動作を監視及び制御することを可能にする、請求項１２に記載のデンタル・ケア・デバイス。
【請求項１４】
歯垢を自動的に且つ独立して検出し除去する方法であって、
ａ．請求項１に記載のデンタル・ケア・デバイスを提供するステップと、
ｂ．前記動き制御される歯垢除去ヘッドと通信して、前記歯垢検出エンジンによって制御された画像の連続的なストリームを、前記デンタル・ケア・デバイスの前記歯垢検出ユニットによってキャプチャーするステップと、
ｃ．前記歯垢検出エンジンによって、キャプチャーされた前記画像に対して高度なピクチャ処理アルゴリズムを適用するステップであって、ｘ軸に沿った前記ヘッドの動きに関連して各剛毛アレイによって実施される次の動きを制御するための、１組のコマンドを結果として生じさせ、それによって、汚染エリアだけに到達してそこに焦点を合わせるように、各専用モータが、アクティブ化、停止、加速、又は減速されるべきであるかについて、各専用モータの動作を監視及び制御することを可能にする、ステップと
を含む、方法。
【請求項１５】
前記ｘ軸に沿った前記ヘッドの動きが、特定の座標及び位置を参照できるようにする、請求項１４に記載の方法。
【請求項１６】
前記高度なピクチャ処理アルゴリズムが、プライマリ・ピクチャ処理を含み、前記プライマリ・ピクチャ処理は、画像安定化及びスティッチング・アルゴリズムから開始し、その後にフィルタリング、スケーリング、ヒストグラム構築、及び色操作が続く、請求項１４に記載の方法。
【請求項１７】
前記高度なピクチャ処理アルゴリズムが、オブジェクト・エッジ検出による、歯の境界の検出を含み、それによって、摩耗させるように無関係エリアにブラシが当たらないようにする、請求項１４に記載の方法。
【請求項１８】
前記高度なピクチャ処理アルゴリズムが、前記検出された歯の境界上で特定の色偏向を探すことをさらに含む、請求項１４に記載の方法。
【請求項１９】
前記複数の剛毛アレイのそれぞれに追加の自由度を提供するために前記ヘッドを動かすように適合された少なくとも１つの追加のモータをさらに含み、それによって、剛毛を任意の方向に２度以上の自由度で動かすことを可能にする、請求項１に記載のデンタル・ケア・デバイス。